(57)【要約】  パッシブで、かつフィードバックまたはフィードフォワード回路を必要としない広帯域の同調可能なノッチ除去のためのシステムと方法が提供される。干渉を含む入力スペクトルは、互いに対して１８０度位相のずれた２つの信号へ分割される。好ましい信号はノッチフィルタを用いて１８０度位相のずれた信号から取り除かれ、元の信号は遅延線路を通って送られる。その後、２つの信号はパワー加算器によって加算され、その結果、元の信号の位相とは１８０度位相のずれた干渉信号が除去され、好ましい信号が残る。ノッチフィルタは様々な好ましい信号に同調可能である。【選択図】図１
2016517249.tif 000002
【特許請求の範囲】
【請求項１】
無線周波数受信機であって、
該無線周波数受信機は、
入力周波数スペクトルの好ましい部分と入力周波数スペクトルの干渉部分を含む入力信号を受け取るためのスプリッター、
スプリッターから第１の出力を受け取るための遅延線路、
スプリッターからの第１の出力とは１８０度の位相差を有する、スプリッターからの第２の出力を受け取るための同調可能なノッチフィルターであって、前記入力周波数スペクトルの好ましい部分を取り除いて干渉部分のみを出力する、同調可能なノッチフィルター、および、
同調可能なノッチフィルターと遅延線路の出力を組み合わせるための加算器であって、入力周波数スペクトルの干渉部分が加算器の出力信号中で除去される、加算器、
を含む、無線周波数受信機。
【請求項２】
ノッチフィルターは、スプリッターの第１の出力につながれた入力を備えた第１の広帯域のハイブリッドカプラ、および、
加算器に結合した出力を備えた第２の広帯域のハイブリッドカプラをさらに含む、請求項１に記載の無線周波数受信機。
【請求項３】
ノッチフィルターは、第１の広帯域のハイブリッドカプラの出力と第２の広帯域のハイブリッドカプラの入力に結合された第１と第２帯域消去フィルタをさらに含む、請求項２に記載の無線周波数受信機。
【請求項４】
第１と第２の帯域消去フィルタは、入力周波数スペクトルの好ましい部分を取り除くようにノッチフィルターを同調させるためのバラクターをさらに含む、請求項３に記載の無線周波数受信機。
【請求項５】
第１と第２の帯域消去フィルタは、ノッチフィルターの中心動作周波数が設定されるように、バラクターの等価な容量値を変更するためのバイアス電圧素子をさらに含む、請求項４に記載の無線周波数受信機。
【請求項６】
第１と第２の広帯域のハイブリッドカプラはランゲカプラをさらに含む、請求項２に記載の無線周波数受信機。
【請求項７】
第１の広帯域のハイブリッドカプラの入力に結合された入力インピーダンスと、第２の広帯域のハイブリッドカプラの出力における吸収性の負荷をさらに含む、請求項２に記載の無線周波数受信機。
【請求項８】
入力インピーダンスと吸収性の負荷は５０オームである、請求項７に記載の無線周波数受信機。
【請求項９】
広帯域信号上でノッチ除去を行うための受信機であって、
該受信機は、
周波数スペクトルの好ましい部分と周波数スペクトルの干渉部分を含む広帯域信号を受け取り、該広帯域信号を１８０度位相のずれた信号に分割するためのパワースプリッタ、
パワースプリッタから第１の出力を受け取るための遅延線路、
第１の出力とは１８０度の位相差を有する、パワースプリッタからの第２の出力を受け取るための同調可能なノッチフィルターであって、前記同調可能なノッチフィルターは入力周波数スペクトルの好ましい部分を取り除いて干渉部分のみを出力する、同調可能なノッチフィルター、ならびに、
同調可能なノッチフィルターと遅延線路の出力を組み合わせるためのパワー加算器であって、その結果、周波数スペクトルの干渉部分がパワー加算器の出力信号において除去される、パワー加算器、
を含む、受信機。
【請求項１０】
ノッチフィルターは、
パワースプリッタの第１の出力につながれた入力と２つの出力を備えた第１の広帯域のハイブリッドカプラ、
第１の広帯域のハイブリッドカプラの出力に結合された第１と第２の帯域消去フィルタであって、それぞれが出力を有する、第１と第２の帯域消去フィルタ、および、
第１と第２の帯域消去フィルタの出力に結合した入力と、パワー加算器に結合した出力を有する第２の広帯域のハイブリッドカプラをさらに含む、請求項９に記載の受信機。
【請求項１１】
第１と第２の帯域消去フィルタは、入力周波数スペクトルの異なる好ましい部分を取り除くようにノッチフィルターを同調させるためのバラクターをさらに含む、請求項１０に記載の受信機。
【請求項１２】
第１と第２の帯域消去フィルタは、ノッチフィルターの中心動作周波数が設定されるように、バラクターの等価な容量値を変更するためのバイアス電圧素子をさらに含む、請求項１１に記載の受信機。
【請求項１３】
第１と第２の広帯域のハイブリッドカプラはランゲカプラをさらに含む、請求項１０に記載の受信機。
【請求項１４】
第１の広帯域のハイブリッドカプラの入力に結合された入力インピーダンスと、
第２の広帯域のハイブリッドカプラの出力における吸収性の負荷をさらに含み、
入力インピーダンスと吸収性の負荷は５０オームである、請求項１０に記載の受信機。
【請求項１５】
広帯域信号上でノッチ除去を行う方法であって、
前記方法は、
周波数スペクトルの好ましい部分と周波数スペクトルの干渉部分を含む広帯域信号を、１８０度位相のずれた信号に分割する工程、
遅延線路のパワースプリッタから第１の出力を受け取る工程、
同調可能なノッチフィルターのパワースプリッタから第２の出力を受け取る工程であって、第２の出力は第１の出力とは１８０度の位相差を有し、該同調可能なノッチフィルターは入力周波数スペクトルの好ましい部分を取り除いて干渉部分のみを出力する、工程、ならびに、
周波数スペクトルの干渉部分がパワー加算器の出力信号において除去されるように、パワー加算器を用いて同調可能なノッチフィルターと遅延線路の出力を組み合わせる工程、
を含む、方法。
【請求項１６】
パワースプリッタの第１の出力につながれた入力と２つの出力を有する第１の広帯域のハイブリッドカプラを提供する工程、
第１の広帯域のハイブリッドカプラの出力に結合された第１と第２の帯域消去フィルタを提供する工程であって、それぞれの帯域消去フィルタが出力を有する、工程、および、
第１と第２の帯域消去フィルタの出力に結合した入力と、パワー加算器に結合した出力を有する第２の広帯域のハイブリッドカプラを提供する工程、
をさらに含む請求項１５に記載の方法。
【請求項１７】
第１と第２の帯域消去フィルタは、入力周波数スペクトルの異なる好ましい部分を取り除くようにノッチフィルターを同調させるためのバラクターをさらに含む、請求項１６に記載の方法。
【請求項１８】
第１と第２の帯域消去フィルタは、ノッチフィルターの中心動作周波数が設定されるように、バラクターの等価な容量値を変更するためのバイアス電圧素子をさらに含む、請求項１７に記載の方法。
【請求項１９】
第１と第２の広帯域のハイブリッドカプラはランゲカプラをさらに含む、請求項１６に記載の方法。
【請求項２０】
第１の広帯域のハイブリッドカプラの入力に結合された入力インピーダンスを提供する工程と、
第２の広帯域のハイブリッドカプラの出力における吸収性の負荷を提供する工程をさらに含み、
入力インピーダンスと吸収性の負荷は５０オームである、請求項１６に記載の方法。
【発明の詳細な説明】
【技術分野】
【０００１】
本発明は一般に無線周波数受信機システムに関する。とりわけ、本発明は複雑なフィードバックまたはミキシング回路類を必要とすることなく、好ましい信号から干渉を取り除く受信機に関する。
【背景技術】
【０００２】
商用通信システムでは、無線周波数干渉（ＲＦＩ）は、特に無線の受信可能範囲が至る所にある市街地でとりわけ良く知られている現象である。ほとんどの無線周波数（ＲＦ）は音声帯域以上から赤外線帯域までに及ぶ電磁スペクトルに分類される。
【０００３】
簡潔に言えば、干渉は、好ましい信号経路の外側にある外部の供給源から生じ、好ましい信号中に望ましくないアーチファクトを生成する。１つの一般的な供給源は、２つの異なる無線送信機が同じ周波数を使用する際に生じる同一チャネル干渉（ＣＣＩ）である。セルラーネットワークでは、例えば、近隣の基地局は異なる周波数を割り当てられる。利用可能な周波数の数には限りがあるため、受信機は往々にして同じ周波数を用いる２つの異なる基地局の範囲内にあることもあり、これが受信機の性能を劣化させる。同様の問題が、ラジオ局やテレビ局、あるいは無線周波数を送信する任意のシステムで起こり得る。この場合、干渉はＲＦＩ（無線周波数干渉）と呼ばれる。
【０００４】
干渉の別の供給源は隣接チャネル干渉（ＡＣＩ）である。これは隣接するチャネルからの外部の電力（または周波数）が受信機によって検知される際に生じる。送信機によって放射された外部からの電力は一般に隣接チャネル漏洩と呼ばれ、無線周波数（ＲＦ）フィルタの機能である。
【０００５】
干渉の第３の供給源は同一サイト干渉（ｃｏ−ｓｉｔｅ  ｉｎｔｅｒｆｅｒｅｎｃｅ）である。これは近接周波数信号をその通過帯域に漏らす不完全な受信機に起因する。この種の干渉は、とりわけ隣接チャネルが弱い信号を受け取ろうとしている受信機に近距離で送信している状況で困難である。
【０００６】
ＲＦＩを回避するのは難しい。可能な供給源は、ラジオ局またはテレビ局あるいは携帯電話からの送信を含む意図的な送信や、電力線、電気器具、および他の無線デバイスなどの供給源からの意図しない放射線も同様に含む。
【０００７】
一般に、受信機は好ましい信号だけを拾い上げる能力を高めるために様々なフィルタとともに設計されている。しかしながら、送受信機システムにおける多くの標準規格品の統合や周波数帯域は受信機の設計に困難な課題を突き付ける。困難な信号妨害環境における干渉の大規模な供給源または信号遮断物によって受信機チェーンの感度が低下することもあり得る。これは、受信機が特定の周波数オフセットで最大の干渉力でＲＦＩを取り除くために遮断機能を実行することを必要とする。遮断機能異なる周波数でも反対の遮断物に対する柔軟性を有していなければならない。これをする従来の１つの方法は、受信機チェーンによって処理可能なレベルにこうした遮断物を減衰させるために外部のパッシブ表面弾性波（ＳＡＷ）フィルタを使用することである。しかしながら、実際には一体型マルチモード、マルチスタンダードの送受信機ではこれはほぼ不可能なことである。というのも、ＳＡＷデバイスは大量のプリント回路基板（ＰＣＢ）面積を消費するため送受話器のサイズがおおきくなるだけでなく、コストもかさむからである。加えて、送受信機のフロントエンドの統合と製造性も複雑になる。
【０００８】
受信機で使用される別の種類のフィルタはノッチフィルターである。これは、狭い阻止帯域中の受信信号の一部を取り消すために使用される狭い阻止帯域を伴う帯域消去フィルタである。最新のノッチ除去（ｎｏｔｃｈ  ｃａｎｃｅｌｌａｔｉｏｎ）技術は、例えば、フィードバックまたはフィードフォワード（ＦＦ）ノッチ除去スキーム時に構築され、ノッチ除去性能は制限されており、連携することは困難である。いくつかの広帯域のノッチ除去は同調要素として非線形伝送線路（ＮＬＴＬ）を含む。しかしながら、これらはさらなるスプリアス応答と線形性の問題に直面する。
【０００９】
従来のフィードフォワード（ＦＦ）干渉除去技術は、例えば、高いマイクロ波／ｍｍ−周波数で行うのが難しく、単一の信号除去にのみ用いられるいという事実を含む多くの課題に遭遇する。ほとんどのＦＦ干渉除去技術が相互変調製品（ＩＭ）を減らすことを目指しているため、遮断物を拒絶するために１つまたは複数の制御ループを用い、該ループは開ループ利得に選択的に依存しており、２つの経路の利得の一致には依存しない。
【００１０】
したがって、ＦＦおよびＩ／Ｑのミキサ、例えば、非対称の閉ループ伝達関数、Ｉ／Ｑ利得位相の不整合、およびフィルタコア過剰雑音を使用して、従来のデバイスとともに対処する干渉除去スキームが必要とされている。
【発明の概要】
【発明が解決しようとする課題】
【００１１】
上記や他の目的は、パッシブで、かつ従来のフィードバックまたはフィードフォワード回路を必要としない広帯域の同調可能なノッチ除去のためのシステムと方法によって提供される。干渉を含む入力スペクトルは、互いに対して１８０度位相のずれた２つの信号へ分割される。好ましい信号は１つの信号から取り除かれ、該信号は元の信号ともう一度足し合わされ、その結果１８０度位相のずれた干渉信号が互いに除去される。
【課題を解決するための手段】
【００１２】
一実施形態では、無線周波数受信機が開示され、該無線周波数受信機は、入力周波数スペクトルの好ましい部分と入力周波数スペクトルの干渉部分を含む入力信号を受け取るためのスプリッター、スプリッターから第１の出力を受け取るための遅延線路、スプリッターからの第１の出力からの位相と１８０度異なる、スプリッターからの第２の出力を受け取るための同調可能なノッチフィルターであって、入力周波数スペクトルの好ましい部分を取り除いて干渉部分のみを出力する、同調可能なノッチフィルター、および、同調可能なノッチフィルターと遅延線路の出力を組み合わせるための加算器であって、入力周波数スペクトルの干渉部分が加算器の出力信号中で除去される、加算器を含む。
【００１３】
別の実施形態では、無線周波数受信機のノッチフィルターは、スプリッターの第１の出力につながれた入力を備えた第１の広帯域のハイブリッドカプラ、加算器に結合した出力を備えた第２の広帯域のハイブリッドカプラ、および第１の広帯域のハイブリッドカプラの出力と第２の広帯域のハイブリッドカプラの入力に結合された第１と第２帯域消去フィルタを含む。
【００１４】
上記の実施形態のいずれかにおいて、帯域消去フィルタは、入力周波数スペクトルの好ましい部分を取り除くようにノッチフィルターを同調させるためのバラクターと、ノッチフィルターの中心動作周波数が設定されるように、バラクターの等価な容量値を変更するためのバイアス電圧素子をさらに含む。
【００１５】
上記の実施形態のいずれかにおいて、広帯域のハイブリッドカプラは、ランゲカプラ（Ｌａｎｇｅ  ｃｏｕｐｌｅｒ）と、第１の広帯域のハイブリッドカプラの入力に結合された入力インピーダンスと、第２の広帯域のハイブリッドカプラの出力における吸収性の負荷（ａｂｓｏｒｐｔｉｖｅ  ｌｏａｄ）を含み、入力インピーダンスと吸収性の負荷は５０オームである。
【００１６】
さらなる実施形態では、広帯域信号上でノッチ除去を行う方法が開示されており、該方法は、周波数スペクトルの好ましい部分と周波数スペクトルの干渉部分を含む広帯域信号を、１８０度位相のずれた信号に分割する工程、遅延線路のパワースプリッタからの第１の出力を受け取る工程、同調可能なノッチフィルターのパワースプリッタから第２の出力を受け取る工程であって、第２の出力は第１の出力とは１８０度の位相差を有し、該同調可能なノッチフィルターは入力周波数スペクトルの好ましい部分を取り除いて干渉部分のみを出力する、工程、ならびに、周波数スペクトルの干渉部分がパワー加算器の出力信号において除去されるように、パワー加算器を用いて同調可能なノッチフィルターの出力と遅延線路の出力を組み合わせる工程、を含む。
【図面の簡単な説明】
【００１７】
添付の図面は、様々な代表的な実施形態をより完全に記載するために使用される視覚的な説明を与えるものであり、本明細書に開示された代表的な実施形態とその固有の利点をよりよく理解するために当業者によって使用され得る。これらの図面では、参照番号は対応する要素を特定する。
【図１】ベクトル干渉除去を備えた同調可能なノッチフィルター無線式キャンセラー（ｒａｄｉｏ  ｃａｎｃｅｌｌｅｒ）のブロック図である。
【図２】図１の平衡型同調可能なノッチフィルターの最上位レベルの構成のブロック図である。
【図３】図２の平衡型同調可能なノッチフィルターのより詳細な図である。
【発明を実施するための形態】
【００１８】
実例目的のために図面中で示されるように、および以下に述べられるように、ベクトル干渉除去を使用するノッチ除去に関して新規な技術が開示されている。
【００１９】
本発明の実施形態に係る受信機が図１に示されている。線（１０）で受け取られる入力スペクトルは好ましい信号（１２）と干渉信号（１４）の両方を含んでいる。０／１８０パワースプリッタ（１６）は入力スペクトル（１０）を２本の線（１８）と（２０）に分割する。一実施形態では、パワースプリッタ（１６）は、マーチャントバラン分割器（Ｍａｒｃｈａｎｄ  Ｂａｌｕｎ  ｄｉｖｉｄｅｒ）を用い、その後、その出力経路の１つにおける１８０度の移相器を用いて実行され得る。線（１８）において、スペクトルは線（１０）上の入力スペクトルと同相にあり、線（２０）上では、入力スペクトルは線（１０）上の入力スペクトル１８０度位相がずれている。線（２０）は、線（１０）上の入力スペクトルから好ましい信号（１２）を拒絶する同調可能なノッチフィルター（２２）に入力され、その結果、線（２４）上の同調可能なノッチフィルター（２２）の出力におけるスペクトル中には望ましくない干渉だけが残される。パワースプリッタ（１６）から出力され線（１８）は遅延線路（２６）に入力される。遅延線路（２６）は、同調可能なノッチフィルター（２２）からの遅延と同じ量の時間遅延を持つように設定される。これにより、干渉信号の最大限の除去が可能となる。遅延線路（２６）は線（１８）からの同相の入力スペクトルを線（２８）に出力する。
【００２０】
線（２８）上の入力スペクトルと線（２４）上の１８０度位相のずれた干渉スペクトルはその後、同相のパワー結合器である０／０パワー加算器（３０）へ入力される。一実施形態では、パワー加算器（３０）はウィルキンソン分配器（Ｗｉｌｋｉｎｓｏｎ  ｄｉｖｉｄｅｒ）として実行され得る。入力パワースプリッタで生成された１８０度の位相差により、２つのスペクトルからの干渉信号が除去され、線（３２）上のパワー加算器（３０）の出力では好ましい信号だけが保存される。理想的な場合、線（３２）には干渉信号は１つも残っていない。しかしながら、実際には、除去は完全ではなく、したがって、図１に示されるような干渉信号にはいくつかの残留物が残される。最大限の除去を達成するためには、２つの経路の信号位相と振幅の両方を追跡する必要がある。出力加算器で、線（２４）と線（２８）の信号の位相が互いに正確に１８０度位相がずれていて、振幅がまったく同じである場合、加算は干渉信号を完全に一掃する。これらが１８０度位相ずれしていないか、あるいは、振幅が同じではない場合、干渉信号は完全には除去されない。信号の位相と振幅を調節することは、例えば、経路の１つに補償型の可変移相器と減衰器を挿入することにより、行うことができる。当業者は、最適な干渉信号の除去を提供するために図１の回路にこれらの要素を挿入する方法を理解するであろう。最も一般的には、これらは遅延線路を伴う経路（線２８）に挿入されるが、線（２４）にも挿入可能である。
【００２１】
同調可能なノッチフィルター（２２）のさらに詳細な図が図２に示される。ノッチフィルターは阻止帯域の狭い帯域消去フィルタとして一般に知られているフィルタの一種である。これは、ノッチフィルターが入力信号から「ノッチ」を有効に取り出すことを意味する。ほとんどのノッチフィルターは阻止帯域またはノッチ帯域でリターンロスまたはインピーダンス整合が非常に乏しく、その結果、ノッチフィルターで受け取られた信号パワーの一部は供給源に反映される。ノッチ帯域の反射信号は、反射した信号とチェーン中の他の大信号との再ミキシングにより、システム全体の直線性を低下させることもある。優れた整合状態を維持するためには、吸収性の平衡型ミキサが本開示で使用されている。図２で分かるように、広帯域の９０度のハイブリッドカプラ（３４）と（３６）は、平衡型ノッチフィルター素子（３８）と（４０）の入出力ポートで使用される。これらのハイブリッドは、好ましい広帯域幅動作を実現するために、ブロードサイド結合設計技術または多段式構成を使用して実行可能である。上方の経路と下方の経路のノッチフィルターコアは同一である。図２で示されるように、ノッチフィルターコアは帯域消去フィルタ（ＢＳＦ）（３８）と（４０）である。同一のＢＳＦを設けることにより、動作の平衡化と高い拒絶レベルを確実なものにする。一実施形態では、ノッチフィルターコアは、半導体基板、例えば、シリコン（Ｓｉ）、リン化インジウム（ＩｎＰ）、または砒化ガリウム（ＧａＡｓ）基板上の能動または受動的なＩＣ素子に一体化可能である。加えて、オンチップの同調可能なバラクタダイオードは、動的に変化する遮断物の信号を抑えるようにノッチフィルターを同調可能にするべく、一体化可能である。
【００２２】
図２のノッチフィルターの一実施形態のより詳細な構成が図３に示されている。広帯域のハイブリッドカプラ（３４）と（３６）は例えば、ランゲカプラータイプである。この種のカプラーはおよそ２：１の帯域幅比率を提供する。図２からの帯域消去フィルタ（３８）は、結合部分（５４）、付勢ファン突出部（ｂｉａｓｉｎｇ  ｆａｎ  ｓｔｕｂ）（５６）、バイアス電圧（５８）、可変コンデンサ（６０）、バラクター等価直列抵抗（６２）、および抵抗器（７８）を含む。図２の帯域消去フィルタ（４０）は、結合部分（６４）、付勢ファン突出部（６６）、バイアス電圧（６８）、可変コンデンサ（７０）、バラクター等価直列抵抗（７２）、および抵抗器（８０）を含む。特定の回路が図３に描かれているが、当業者は構成要素を置き換えることができることを認識するであろう。例えば、結合部分（５４）と（６４）は、一実施形態では、マイクロストリップ線路（ＭＣＬＩＮ）である。
【００２３】
広帯域のハイブリッドカプラ（３４）と（３６）、結合部分（５４）と（６４）、バラクター（６０）／（６２）、および（７０）／（７２）は、広帯域のノッチの同調の原因である。バラクターは、例えば、可変コンデンサ（６０）、（７０）、およびバラクター等価直列抵抗（６２）、（７２）として表わされるが、可変容量をもたらす任意の適切な回路も使用することもできる。バラクター向けの電圧は、ファン突出部（５６）、（６６）、バイアス電圧（５８）、および（６８）によってそれぞれ提供される。バラクター（６０）と（７０）それぞれに対するバイアス電圧（５８）と（６８）は、ＲＦバイアス回路の一部として機能するファン形状の突出部（５６）と（６６）を介して注入される。バイアス電圧を変えてバラクターの等価な容量値を同調させる。したがって、これはノッチフィルターの中心動作周波数を変える。ノッチフィルターの中心動作周波数は、好ましい入力信号を選択するように設定される。
【００２４】
下方の経路（図２の帯域消去フィルタ（４０））と上方の経路（図２の帯域消去フィルタ（３８））中の構成の不整合から生成されるどんな波も、下方と上方の経路の内部のまわりで反射される代わりに広帯域カプラーに接続され、かつノッチフィルター遮断物の外側にある他の外部の構成要素にも接続された抵抗負荷（５２）および（７４）に吸収される。抵抗負荷（５２）と（７４）は、例えば５０オームであるが、任意の適切な抵抗を使用することができる。
【００２５】
上記の同調可能なノッチフィルターのシミュレーションは、その帯域の外部と内部の両方で２０ｄＢ以上のリターンロスの非常に優れた広帯域のインピーダンス整合を実証する。約５０ＭＨｚの狭いノッチ瞬時帯域幅が達成される。ノッチ拒絶レベルは約２５ｄＢである。
【００２６】
実例目的のために図中で示されるように、および以下に記載されるように、広帯域の同調可能なノッチ除去を伴うＲＦ受信機に関する新規な技術が開示されている。この開示された手法は、苛烈な信号干渉または信号ブロックが存在する、多くの人工衛星フェーズアレイ、レーダー、および商用通信システムに適用することができる。
【００２７】
本明細書に詳細に記載されてきた代表的な実施形態は、一例として示されたのであって、限定目的のために示されたわけではない。記載された実施形態の形態と詳細において様々な変更がなされ、添付の請求項の範囲内である同等の実施形態がもたらされ得ることが当業者によって理解されよう。
【図３】
2016517249.tif 000003
【図１】
2016517249.tif 000004
【図２】
2016517249.tif 000005
【国際調査報告】
2016517249.tif 000006
2016517249.tif 000007